(57)【要約】      （修正有）【課題】全身における体内の脂肪燃焼を促進させるための脂肪燃焼促進装置を提供する。【解決手段】体内の脂肪燃焼を促進させるための脂肪燃焼促進装置１において、居住空間を形成するチャンバ１０と、チャンバ内１０ａの気圧を、所定気圧の高圧に維持するための加圧手段２０と、チャンバ内１０ａの酸素濃度を所定濃度に維持するための酸素供給手段２２とを備え、人が入った状態のチャンバ内１０ａの気圧及び酸素濃度を所定の値に維持する。【選択図】図１
0003231114.tif 000002
【実用新案登録請求の範囲】
【請求項１】
体内の脂肪燃焼を促進させるための脂肪燃焼促進装置において、
居住空間を形成するチャンバと、
該チャンバ内の気圧を、所定気圧の高圧に維持するための加圧手段と、
該チャンバ内の酸素濃度を所定濃度に維持するための酸素供給手段とを備え、
人が入った状態の該チャンバ内の気圧及び酸素濃度を所定の値に維持することを特徴とする脂肪燃焼促進装置。
【請求項２】
前記加圧手段が維持する気圧が、１．２気圧〜１．４気圧であることを特徴とする請求項１記載の脂肪燃焼促進装置。
【請求項３】
前記酸素供給手段が維持する酸素濃度が、３０％〜４０％であることを特徴とする請求項１又は請求項２記載の脂肪燃焼促進装置。
【考案の詳細な説明】
【技術分野】
【０００１】
本考案は、体内の脂肪燃焼を促進させるための脂肪燃焼促進装置に関する。
【背景技術】
【０００２】
従来から、生活環境にかかわらず常により健康な生体状態を実現させることを目的として体内の脂質代謝の向上を図る装置が提案されている。例えば、特許文献１の体内脂肪刺激装置は、体脂肪の燃焼作用を誘起させる物質を含む薬液が含浸される含浸部を表面に有し、この含浸部を身体の体脂肪刺激対象部分の皮膚表面に接触させるようにして配置されるイオン導入電極と、体脂肪刺激対象部分と異なる部位の皮膚表面に接触させるようにして配置される基準電極と、イオン導入電極と基準電極との間に電圧を印加する電圧印加手段とを具備するものである。
【先行技術文献】
【特許文献】
【０００３】
【特許文献１】特開２００５−２５３７５４号公報
【考案の概要】
【考案が解決しようとする課題】
【０００４】
しかしながら、従来の体内脂肪刺激装置は、ウエスト、大腿、顎・首といった体の一部にベルトやマスクとして装着して用いるものである。このため、身体の局所的な部分のみ刺激されるものの、全身に対して効率よく効果を発揮させることは困難である。
【０００５】
本考案は、このような事情に鑑みてなされたもので、全身における体内の脂肪燃焼を促進させるための脂肪燃焼促進装置を提供することを目的とする。
【課題を解決するための手段】
【０００６】
請求項１記載の脂肪燃焼促進装置は、居住空間を形成するチャンバと、チャンバ内の気圧を、所定気圧の高圧に維持するための加圧手段と、チャンバ内の酸素濃度を所定濃度に維持するための酸素供給手段とを備え、人が入った状態のチャンバ内の気圧及び酸素濃度を所定の値に維持することを特徴とする。
【０００７】
請求項２記載の脂肪燃焼促進装置は、加圧手段が維持する気圧が、１．２気圧〜１．４気圧であることを特徴とする。
【０００８】
請求項３記載の脂肪燃焼促進装置は、酸素供給手段が維持する酸素濃度が、３０％〜４０％であることを特徴とする。
【考案の効果】
【０００９】
本願考案の脂肪燃焼促進装置によれば、全身における体内の脂肪燃焼を促進させることができる。
【図面の簡単な説明】
【００１０】
【図１】本考案に係る脂肪燃焼促進装置の構成の一例を示す説明図である。
【図２】図１の脂肪燃焼促進装置の効果の一例を示す説明図である。
【図３】図１の脂肪燃焼促進装置の効果の一例を示す説明図である。
【考案を実施するための形態】
【００１１】
以下、本考案の形態について図面を参照しながら具体的に説明する。図１は、本考案に係る脂肪燃焼促進装置の構成の一例を示す説明図である。図２、３は、図１の脂肪燃焼促進装置の効果の一例を示す説明図である。
【００１２】
図１における脂肪燃焼促進装置１は、体内の脂肪燃焼を促進させるためのものである。居住空間を形成するチャンバ１０と、チャンバ内１０ａの気圧を上げるための加圧手段である加圧用コンプレッサ２０と、チャンバ内１０ａの酸素濃度を所定濃度に維持するための酸素供給手段２２とを備えている。また、チャンバ内１０ａの気圧をモニタするための圧力計３０も備えている。尚、加圧手段である加圧用コンプレッサ２０が維持する気圧は、１．２気圧〜１．４気圧である。また、酸素供給手段２２が維持する酸素濃度は、３０％〜４０％である。
【００１３】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ内１０ａは密閉空間になるような構造である。
【００１４】
加圧用コンプレッサ２０は、チャンバ内１０ａの気圧を上げるための加圧手段であり、チャンバ１０の外側に配置され、チャンバ内１０ａと連通して給気している。尚、チャンバ内１０ａに配置されていてもよい。加圧用コンプレッサ２０は、加圧手段の一例であり、ポンプ等の他の手段であってもかまわない。
【００１５】
減圧用コンプレッサ（不図示）も併せて用いた場合、減圧用コンプレッサは、加圧用コンプレッサ２０と組み合わせて所定圧を維持するための手段であり、チャンバ内１０ａの気圧を高圧から常圧に戻す際に、常圧に向かってチャンバ内１０ａの気圧を下げるための減圧手段であって、チャンバ内１０ａに配置され、チャンバ内１０ａの空気を押し出すものである。または、チャンバ１０の外側に配置されている場合には、チャンバ内１０ａの空気を吸い出すものであってもよい。減圧用コンプレッサは、減圧手段の一例であり、ポンプ等の他の手段であってもかまわない。
【００１６】
尚、図示してはいないが、チャンバ内１０ａの気圧の調整のために、各種の弁構造を設けるようにしてもよい。
【００１７】
酸素供給手段２２は、チャンバ内１０ａの酸素濃度を所定濃度に維持するために高濃度酸素を供給する手段であり、チャンバ１０の外側に配置され、チャンバ内１０ａと連通している。尚、酸素供給手段２２は、チャンバ内１０ａに配置されていてもよい。
【００１８】
次に、本実施の形態における脂肪燃焼促進装置１の動作の一例を説明する（図１参照）。まず、加圧手段である加圧用コンプレッサ２０を動作させて、チャンバ内１０ａの気圧を、所望の気圧だけ高くするようにする。そして、所定間隔でチャンバ内１０ａの気圧を、常圧よりも高圧な状態を維持したまま所定圧とする。併せて、酸素供給手段２２を動作させて、チャンバ内１０ａの酸素濃度を、所望の濃度だけ高くして、所定の高酸素濃度を維持する。気圧を下げたい場合には、加圧用コンプレッサ２０の出力を調整しつつ、減圧手段である減圧用コンプレッサ（不図示）を動作させて、気圧を下げるようにする。
【００１９】
加圧用コンプレッサ２０及び減圧用コンプレッサ（不図示）をバランス良く動作させるようにし、必要に応じて図示しない弁構造を動作させて、気圧を維持させる。尚、チャンバ内１０ａの気圧を下げて常圧に戻す場合には、加圧用コンプレッサ２０の動作を止めて、減圧用コンプレッサを動作させて、チャンバ内１０ａの空気をチャンバ１０の外に押し出す（又は抜き出す）ようにする。尚、図示しない弁構造を開放して高圧になった空気をチャンバ１０の外に出すようにしてもよい。
【００２０】
加圧手段である加圧用コンプレッサ２０を動作させて、チャンバ内１０ａの気圧を所定気圧の高圧に維持し、かつ、酸素供給手段２２を動作させて、チャンバ内１０ａの酸素濃度を所定の高濃度に維持することによって、チャンバ内１０ａの人が入った状態のチャンバ内の気圧及び酸素濃度を所定の値に維持することができる。
【００２１】
以上のような構造の本実施の形態に係る脂肪燃焼促進装置１によれば、利用者はチャンバ内１０ａで居住空間として自由に過ごしながら、全身における体内の脂肪燃焼を促進させることができる。
【実施例】
【００２２】
以下、実施例を示して本願の脂肪燃焼促進装置１について説明する。
【００２３】
本実施例では、脂肪燃焼促進装置１は、図１に示すように、居住空間を形成するチャンバ１０と、加圧用コンプレッサ２０と、酸素供給手段２２と、圧力計３０を備えている。また、減圧用コンプレッサ（不図示）も併せて用いている。加圧用コンプレッサ２０および減圧用コンプレッサはポンプであり、加圧用コンプレッサ２０はチャンバ１０の外側に、減圧用コンプレッサはチャンバ内１０ａに配置されている。
【００２４】
被験者（２０歳代前半女性：４名）は、まず、通常大気圧酸素（Ｎｏｒｍｏｂａｒｉｃ）工程として、通常大気圧（１．０気圧）、通常酸素濃度（２１％）の下で安静坐位の状態で１時間過ごす。１時間経過後、軽度高気圧酸素（ｍＨＢＯ）工程として、気圧と酸素濃度を１．４気圧、酸素濃度３６％〜４０％まで上昇させ安定後、１．４気圧、酸素濃度３６％〜４０％の下で安静坐位の状態で１時間過ごす。なお、各工程において、気圧および酸素濃度が安定するまでの期間である１０分間は１時間に含まれていない。
【００２５】
そして、試験開始前（Ａ）と、通常大気圧酸素工程終了後（Ｂ）と、軽度高気圧酸素工程終了後（Ｃ）に脂肪の燃焼状態の指標である呼気中のアセトン濃度および尿中ケトン体濃度を測定する。通常大気圧酸素（Ｎｏｒｍｏｂａｒｉｃ）工程の値は、通常大気圧酸素工程終了後（Ｂ）の測定値−試験開始前（Ａ）の測定値であり、軽度高気圧酸素（ｍＨＢＯ）工程の値は、軽度高気圧酸素工程終了後（Ｃ）の測定値−通常大気圧酸素工程終了後（Ｂ）の測定値である。
【００２６】
その結果、図２に示すように、軽度高気圧酸素（ｍＨＢＯ）工程の呼気中のアセトン濃度は、通常大気圧酸素（Ｎｏｒｍｏｂａｒｉｃ）工程と比べて４２％増加している。また、図３に示すように、軽度高気圧酸素（ｍＨＢＯ）工程の尿中ケトン体濃度は、通常大気圧酸素（Ｎｏｒｍｏｂａｒｉｃ）工程と比べて２．６倍に増加している。これらの結果は、脂肪燃焼促進装置１が、体内の脂肪燃焼を促進させることができることを示している。
【００２７】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２８】
本考案により、全身における体内の脂肪燃焼を促進させるための脂肪燃焼促進装置を提供することができる。
【符号の説明】
【００２９】
１・・・・・脂肪燃焼促進装置
１０・・・・チャンバ
１０ａ・・・チャンバ内
２０・・・・加圧用コンプレッサ
２２・・・・酸素供給手段
３０・・・・圧力計
【図１】
0003231114.tif 000003
【図２】
0003231114.tif 000004
【図３】
0003231114.tif 000005